(57)【要約】【課題】  画鋲ケース１の向きを種々に変更しなくてもケース１内の画鋲６を打ち込み体勢にセットできるようにし、画鋲６に手を触れないで行う画鋲６の打ち込み作業をより簡便に行えるようにする。【解決手段】  本発明の画鋲ケース１は、針部の先端がケース裏面側となる向きで複数の画鋲を一列に並べて内部に収容可能な第１収容部９と、第１収容部９の基端側に内部連通状態で連結された第２収容部１０と、を有するケース本体２を備えている。  また、第１収容部９から第２収容部１０に供給された１つの画鋲６をケース裏面側に排出するための排出筒部１４が第２収容部１０に形成され、この排出筒部１４内の画鋲６の頭部をケース裏面側に押し出して当該画鋲６を打ち込むための打ち込み部材４が第２収容部１０に出退自在に挿通されている。【選択図】図１
2012011764.tif 000002
【特許請求の範囲】
【請求項１】
針部の先端がケース裏面側となる向きで複数の画鋲を一列に並べて内部に収容可能な第１収容部と、前記第１収容部の基端側に内部連通状態で連結された第２収容部と、を有するケース本体を備えた画鋲ケースであって、
前記第１収容部から前記第２収容部に供給された１つの前記画鋲をケース裏面側に排出するための排出筒部が前記第２収容部に形成され、この排出筒部内の前記画鋲の前記頭部をケース裏面側に押し出して当該画鋲を打ち込むための打ち込み部材が前記第２収容部に出退自在に挿通されていることを特徴とする画鋲ケース。
【請求項２】
前記第１収容部の基端部に、当該第１収容部内の最も基端側に位置する前記画鋲の向きを調整して１つずつ前記第２収容部に供給するための姿勢調整部材が設けられている請求項１に記載の画鋲ケース。
【請求項３】
前記第１収容部の先端部に、打ち込まれた前記画鋲を抜き取るための画鋲抜き部が形成されている請求項１又は２に記載の画鋲ケース。
【請求項４】
前記第１収容部は、前記画鋲抜き部によって抜き取られた前記画鋲をそのまま内部に導入する導入口を先端部に有する請求項３に記載の画鋲ケース。
【請求項５】
当該画鋲ケースにおける少なくとも前記第２収容部に対応する部分が、その内部構造が視認可能な程度の透明ないし半透明の合成樹脂材よりなる請求項１〜４のいずれか１項に記載の画鋲ケース。
【発明の詳細な説明】
【技術分野】
【０００１】  本発明は、複数の画鋲を内部に収容でき、しかも内部の画鋲に手を触れずにこれをを打ち込むことができる画鋲ケースに関する。
【背景技術】
【０００２】  従来、この種の画鋲ケースとして、例えば特許文献１に記載のものが知られている。
この従来の画鋲ケースは、手持ち可能なケース本体と、このケース本体の内部に区画された画鋲収納部と、画鋲を壁面に打ち込むためにケース本体の一端部に形成された画鋲打込部と、壁面に差し込まれた画鋲を抜き取るためにケース本体の他端面に形成された画鋲除去部と、画鋲収容部の中の画鋲を手で触れることなく画鋲打込部に移動させための画鋲供給部とを有している（特許文献１の請求項１）。【０００３】  この従来の画鋲ケースによれば、画鋲収容部内の画鋲を、画鋲供給部を経て画鋲打込部に手で触れることなく移送できるので、ケース本体から排出させた画鋲に手を触れずに、画鋲打込部によってそのまま壁面に打ち込むことができるとされている（特許文献１の段落００１０）。
【先行技術文献】
【特許文献】
【０００４】
【特許文献１】  実用新案登録第３１２４２３３号公報
【発明の概要】
【発明が解決しようとする課題】
【０００５】  上記従来の画鋲ケースでは、ケース本体の内部に設けられた隔壁によって画鋲収容部と画鋲供給部とに区分する二階建て構造であり、画鋲打込部と反対側に設けられた連通部を通じて、画鋲収容部内の画鋲を画鋲供給部に送り込む構造になっている。
また、上記従来の画鋲ケースでは、画鋲打込部が、ケース本体の一端部に形成したＴ字状の排出孔と、排出された画鋲を９０度だけ姿勢変更させるガイド片と、姿勢変更された画鋲の頭部をケース端面に仮止めするマグネットとから構成されている。【０００６】  このため、従来の画鋲ケースにおいて、画鋲収容部内の画鋲を打ち込み体勢にセットするためには、ユーザは、画鋲収容部内の画鋲を連通部に通して画鋲供給部に送り込み、その画鋲をケース本体の排出孔から外部に排出させるとともに、ケース本体の向きを９０度変更して画鋲の向きをガイド片に沿って変更させてから、画鋲の頭部をマグネットに吸着させるという、一連の作業を上手に行う必要があり、ケース内部の画鋲を打ち込み体勢にセットする作業が非常に繁雑であった。【０００７】  本発明は、かかる従来の問題点に鑑み、画鋲ケースの向きを種々に変更しなくてもケース内の画鋲を打ち込み体勢にセットできるようにして、画鋲に手を触れないで行う画鋲の打ち込み作業をより簡便に行うことができる画鋲ケースを提供することを目的とする。
【課題を解決するための手段】
【０００８】  本発明の画鋲ケースは、針部の先端がケース裏面側となる向きで複数の画鋲を一列に並べて内部に収容可能な第１収容部と、前記第１収容部の基端側に内部連通状態で連結された第２収容部と、を有するケース本体を備えた画鋲ケースであって、前記第１収容部から前記第２収容部に供給された１つの前記画鋲をケース裏面側に排出するための排出筒部が前記第２収容部に形成され、この排出筒部内の前記画鋲の前記頭部をケース裏面側に押し出して当該画鋲を打ち込むための打ち込み部材が前記第２収容部に出退自在に挿通されていることを特徴とする。【０００９】  本発明の画鋲ケースによれば、ケース本体が、画鋲を一列に並べて内部に収容可能な第１収容部と、この第１収容部の基端側に内部連通状態で連結された第２収容部とを有するので、第２収容部が下方側に来るように画鋲ケースを手で持つことにより、第１収容部内の画鋲を第２収容部に向かって落とし込んで供給することができる。【００１０】  また、本発明の画鋲ケースによれば、第１収容部から第２収容部に供給された１つの画鋲をケース裏面側に排出するための排出筒部が第２収容部に形成され、この排出筒部内の画鋲の頭部をケース裏面側に押し出して当該画鋲を打ち込むための打ち込み部材が第２収容部に出退自在に挿通されているので、第２収容部に供給された画鋲を打ち込み体勢にする際に、ユーザが画鋲ケースの向きを変更する必要がない。【００１１】  本発明の画鋲ケースにおいて、前記第１収容部の基端部に、当該第１収容部内の最も基端側に位置する前記画鋲の向きを調整して１つずつ前記第２収容部に供給するための姿勢調整部材が設けられていることが好ましい。
この場合、上記姿勢調整部材が、第１収容部内の最も基端側に位置する画鋲の向きを調整して１つずつ第２収容部に供給するので、複数の画鋲が一度に第２収容部に入り込むことに伴う画鋲の詰まりを防止でき、画鋲を安定して第２収容部に供給することができる。【００１２】  また、本発明の画鋲ケースにおいて、前記第１収容部の先端部に、打ち込まれた前記画鋲を抜き取るための画鋲抜き部を形成するようにすれば、本発明の画鋲ケースを画鋲抜き具として兼用することができる。
この場合、前記第１収容部として、前記画鋲抜き部によって抜き取られた前記画鋲をそのまま内部に導入する導入口を先端部に有する構造のものを採用すれば、抜き取った画鋲を自動的に第１収容部に導入できる、使い勝手がよい画鋲ケースが得られる。【００１３】  更に、本発明の画鋲ケースにおいて、当該画鋲ケースにおける少なくとも前記第２収容部に対応する部分を、その内部構造が視認可能な程度の透明ないし半透明の合成樹脂材より構成することが好ましい。
この場合、排出筒部を有する第２収容部の内部構造が視認可能になるので、打ち込み部材による画鋲の概ねの打ち込み位置を外部から確認することができる。このため、画鋲の打ち込み位置が所望位置からずれしまうのを、未然に防止ないし抑制することができる。
【発明の効果】
【００１４】  本発明によれば、第２収容部が下方側に来るように画鋲ケースを手で持つだけで、第１収容部内の画鋲を第２収容部に供給できるとともに、第２収容部に供給された画鋲を打ち込み体勢にする際に、ユーザが画鋲ケースの向きを変更する必要がないので、画鋲に手を触れないで行う画鋲の打ち込み作業を簡便に行うことができる。
【図面の簡単な説明】
【００１５】
【図１】  本発明の実施形態に係る画鋲ケースの斜視図である。
【図２】  上記画鋲ケースの側面断面図であり、画鋲抜き具として機能する状態を示している。
【図３】  上記画鋲ケースの側面断面図であり、（ａ）は画鋲の打ち込み前の状態を示し、（ｂ）は画鋲の打ち込み後の状態を示している。
【図４】（ａ）は姿勢調整部材の側面図であり、（ｂ）は（ａ）の姿勢調整部材を下から見た図である。
【発明を実施するための形態】
【００１６】  〔画鋲ケースの全体構造〕
図１は、本発明の実施形態に係る画鋲ケース１の斜視図であり、図２及び図３は、その画鋲ケース１の側面断面図である。
図１に示すように、本実施形態の画鋲ケース１は、比較的細い部分と太い部分とを有する段付き棒状のケース本体２と、このケース本体２の細い部分の先端部に設けられた画鋲抜き部３と、そのケース本体２の太い部分に設けられた打ち込み部材４及び姿勢調整部材５とを備えている。
【００１７】  なお、本実施形態において、図１における符号Ａの面を「ケース表面」といい、図１における矢印Ｂの面を「ケース裏面」という。本実施形態の画鋲ケース１にて画鋲６を打ち込む場合には、図３に示すように、ケース裏面を壁面に当接させて打ち込み部材４を操作するようになっている。
また、本実施形態において、ケース本体２の長手方向のうち、打ち込み部材４側を「基端側」といい、画鋲抜き部３側を「先端側」という。
【００１８】  〔ケース本体〕
図２及び図３に示すように、ケース本体２は、複数の画鋲６を内部に収容可能な第１収容部９と、この第１収容部９の基端側に内部連通状態で連結された第２収容部１０とを一体に備えており、これらの各部９，１０を有するケース本体２は、その内部構造が視認可能な程度の透明ないし半透明の、例えば硬質プラスチック等の合成樹脂材よりなる。
従って、ユーザは、第１収容部９や第２収容部１０に収容された各画鋲６の位置を、ケース本体２の外部から目視によって確認することができる。
【００１９】  なお、本実施形態のケース本体２では、当該ケース本体２の細い部分と太い部分における姿勢調整部材５の対応部分とが第１収容部９を構成し、当該ケース本体２の残りの部分、すなわち、太い部分における打ち込み部材４の対応部分が第２収容部１０を構成している。
【００２０】  第１収容部の先端部には、打ち込まれた画鋲６を抜き取るための画鋲抜き部３が形成されている。この画鋲抜き部３は、先端が鋭利でかつ二股に分かれたバール状突部よりなり、この突部の先端を既設の画鋲６に引っ掛けて引く抜くことにより、てこの原理で画鋲６を比較的簡単に抜き取ることができる。
また、第１収容部９の先端部には、上記画鋲抜き部３で抜き取られた画鋲６をそのまま内部に導入する導入口１１が形成されている。この導入口１１のケース表面側縁には、画鋲６の頭部を受け入れ易くするための反り返り片１２が形成されている。
【００２１】  第１収容部９の内部には、横断面がほぼＴ字状のスライドスリット１３が長手方向に延びて形成されている。このスライドスリット１３の横断面は、画鋲６の頭部及び針部よりも若干大きい内空寸法となっている。
このため、導入口１１から第１収容部９に導入された画鋲６は、針部の先端がケース裏面側となる向きとなり、この向きで、複数の画鋲６をスライドスリット１３の内部に一列に並んで収容できるようになっている。
【００２２】  第２収容部１０は、ケース本体２の基端部に配置されており、第１収容部９から当該第２収容部１０に供給された１つの画鋲６をケース裏面側に排出可能な排出筒部１４を、内部に有している。
この排出筒部１４は、軸心方向がケース表裏方向に向きかつケース裏面側に開口するシリンダ構造になっており、当該排出筒部１４の内周径は、画鋲６の頭部よりも若干大きい寸法になっている。
【００２３】  また、図３に示すように、排出筒部１４は、待機状態（図３（ａ）の状態）にある打ち込み部材４の押動軸部１８の端面と間で、画鋲６の頭部が通過し得る程度の隙間を有するとともに、画鋲６の針部が通過する針用スリット１５を周壁部に有している。
このため、ケース先端を上に向けた図３の縦向き状態において、第１収容部９から第２供給部１０に向かって１つの画鋲６が供給されると、その画鋲６の針部が針用スリット１５を通過し、画鋲６が排出筒部１４の内部に同軸心状にセットされる。
【００２４】  〔打ち込み部材〕
図２及び図３に示すように、前記打ち込み部材４は、ケース表面側に突出するほぼ円柱状の押動操作部１７と、この押動操作部１７のケース内端側に同軸心状に連結された押動軸部１８とを有する。
押動操作部１７は、ケース本体２の第２収容部１０に設けた円形孔にケース表裏方向に出退自在となるように挿通されている。また、打ち込み部材４は、一端が押動操作部１８の内端に当接しかつ他端がケース本体２内の内壁に当接する圧縮ばね１９により、常に突出側に付勢されている。
【００２５】  押動軸部１８は、上記圧縮ばね１９の弾性力により、排出筒部１４のケース表面側（図３の左側）に位置する待機位置（図３（ａ）の位置）にセットされており、圧縮ばね１９の弾性力に抗して押動操作部１７を指で押すと、押動軸部１８がケース裏面側（図３の右側）にスライドして排出筒部１４内に入り込み、これにより、排出筒部１４内で針部がケース裏面側に向いた画鋲６が、ケース裏面側に向かって押し出されるようになっている。
なお、押動軸部１８の内部には、画鋲６の頭部を磁力で吸着するための円盤状の磁石２０が埋め込まれ、この磁石２０の表面は円形パッド２１で被覆されている。
【００２６】  〔姿勢調整部材〕
図２及び図３に示すように、前記姿勢調整部材５は、第１収容部９の基端部に配置されており、ケース表面側に突出する横長の押動ボタン部２３と、この押動ボタン部２３に一体に設けられた切り替え部２４とを有する。
押動ボタン部２３は、ケース本体２の第１収容部９に設けた横長孔にケース表裏方向に出退自在となるように挿通されている。また、姿勢調整部材５は、一端が切り替え部２４の内端に当接しかつ他端がケース本体２内の内壁に当接する圧縮ばね２５により、常に突出側に付勢されている。
【００２７】  図４に示すように、姿勢調整部材５の切り替え部２４は、ケース内部側に突出する平面視ほぼＣ字状のストッパー片２６を有し、このストッパー片２６は、第１収容部９内のスライドスリット１３の横断面形状にほぼ対応するＴ字状の逃げ凹部２７を有する。
そして、圧縮ばね２５の付勢力によって姿勢調整部材５が突出状態の時は、ストッパー片２６の先端部がスライドスリット１３を閉塞し、圧縮ばね２５の付勢力に抗して姿勢調整部材５を没入させると、ストッパー片２６の逃げ凹部２７がスライドスリット１３と合致し、画鋲６のケース長手方向への通過が許容される。
【００２８】  このため、ケース先端を上に向けた図３の縦向き状態において、第１収容部９内で最も基端側（図３の下側）に位置する画鋲６は、まず、姿勢調整部材５のストッパー片２６によって下方への落ち込みが規制されて向きが調整され、その後、姿勢調整部材５の押動ボタン部２３を押動操作することにより、１つずつ第２収容部１０に落下して供給されるようになっている。
【００２９】  〔画鋲ケースの使用方法と作用〕
上記構成に係る画鋲ケース１を画鋲６の打ち込み装置として使用するには、まず、第１収容部９の内部に複数の画鋲６を収容しておく。
この場合、図２に示すように、既に打ち込まれている画鋲６を画鋲抜き部３で抜き取るようにすれば、その画鋲６を１つずつ導入口１１から第１収容部９の内部に収容することができる。もっとも、新規に購入した画鋲６を導入口１１から１つずつ第１収容部９に収容させるようにしてもよい。
【００３０】  このさい、図２に示すように、第１収容部９の最も基端側（図２の最も下側）に位置する画鋲６は、姿勢調整部材５のストッパー片２６によって第１収容部９から下方に出ないようになっており、第２供給部１０の手前で止まっている。
次に、画鋲ケース１を用いて画鋲６を壁面等に打ち込むには、図３に示すように、ケース本体２をほぼ垂直に立ててその裏面を壁面に当接させ、この状態で姿勢調整部材５の押動ボタン部２３を１回押す。
【００３１】  すると、図３（ａ）に示すように、姿勢調整部材５のストッパー片２６によって向きが調整された最下部の画鋲６が１つだけ下方に落下し、第２収容部１０内の排出筒部１４の内部にセットされる。
その後、打ち込み部材４の押動操作部１７を手で押して、上記排出筒部１４の内部にセットされた画鋲６をケース裏面側に押し出すことにより、当該画鋲６を壁面に対して打ち込むことができる。
【００３２】  本実施形態の画鋲ケース１によれば、ケース本体２が、針部を同じ向きに向けて画鋲６を一列に並べて内部に収容可能な第１収容部９と、この第１収容部９の基端側に内部連通状態で連結された第２収容部１０とを有するので、第２収容部１０が下方側に来るように画鋲ケース１を手で持つことにより、第１収容部９内の画鋲６を第２収容部１０に向かって落とし込んで供給することができる。
【００３３】  また、第１収容部９から第２収容部１０に供給された１つの画鋲６をケース裏面側に排出するための排出筒部１４が第２収容部１０に形成され、この排出筒部１４内の画鋲６の頭部をケース裏面側に押し出して当該画鋲６を打ち込むための打ち込み部材４が第２収容部１０に出退自在に挿通されているので、第２収容部１０に供給された画鋲６を打ち込み体勢にする際に、ユーザが画鋲ケース１の向きを変更する必要がない。
【００３４】  このように、本実施形態の画鋲ケース１によれば、第２収容部１０が下方側に来るように画鋲ケース１を手で持つだけで、第１収容部９内の画鋲６を第２収容部１０に落とし込める状態となり、しかも、第２収容部１０に供給された画鋲６を打ち込み体勢にする際に、ユーザが画鋲ケース１の向きを変更する必要がないので、画鋲６に手を触れないで行う画鋲６の打ち込み作業を極めて簡便に行うことができる。
【００３５】  また、本実施形態の画鋲ケース１によれば、第１収容部９の基端部に設けた姿勢調整部材５により、第１収容部９内の最も基端側に位置する画鋲６の向きを調整して１つずつ第２収容部１０に供給するので、複数の画鋲６が一度に第２収容部１０に入り込むことに伴う画鋲６の詰まりを防止できる。このため、第２収容部１０への画鋲６の供給を安定かつスムーズに行うことができる。
【００３６】  また、本実施形態の画鋲ケース１によれば、打ち込まれた画鋲６を抜き取るための画鋲抜き部３が第１収容部９の先端部に形成されているので、画鋲ケース１を画鋲抜き具として兼用できるとともに、その画鋲抜き部３によって抜き取られた画鋲６をそのまま内部に導入する導入口１１が第１収容部９の先端部に形成されているので、抜き取った画鋲６を自動的に第１収容部９に導入でき、この点で、非常に使い勝手がよい画鋲ケース１となっている。
【００３７】  更に、本実施形態の画鋲ケース１によれば、ケース本体２が、内部構造が視認可能な程度の透明ないし半透明の合成樹脂材よりなるので、打ち込み部材４による画鋲６の概ねの打ち込み位置を外部から確認することができる。
このため、画鋲６の打ち込み位置が所望位置からずれしまうのを、未然に防止ないし抑制することができる。
【００３８】  なお、本発明は上記実施形態に限定されるものではない。
例えば、上記実施形態では、ケース本体２の全体を透明ないし半透明の合成樹脂材で構成しているが、打ち込み部材４の設置部分となる少なくとも第２収容部１０が透明ないし半透明になっておれば足りる。
また、画鋲抜き部３を有しない画鋲ケース１の場合も、本発明の画鋲ケースに含まれるものである。
【符号の説明】
【００３９】１：画鋲ケース    ２：ケース本体    ３：画鋲抜き部    ４：打ち込み部材
５：姿勢調整部材    ６：画鋲    ９：第１収容部    １０：第２収容部
１１：導入口    １２：反り返り片    １３：スライドスリット    １４：排出筒部
１５：針用スリット
【図１】
2012011764.tif 000003
【図２】
2012011764.tif 000004
【図３】
2012011764.tif 000005
【図４】
2012011764.tif 000006